(57)【要約】【課題】  回転軸が必要なく更にネジ止め作業も必要ない、構造を簡素化したラッチ手段を備えた機器収納用キャビネットを提供する。【解決手段】  蓋板２のラッチ部材３装着部に、折り曲げ部を挟むように蓋面２ａ及び枠部２ｂの双方に開口部を設け、折り曲げ部を棒状に残して連結軸７とし、ラッチ部材３は本体１に設けた係止枠１７に係止する係止片１４と、係止片１４の係止状態を解除するための操作部３ａと、蓋板２に回動可能に連結するための連結部１１とを有し、これらが樹脂成形により一体に形成されて成り、連結部１１を連結軸７を挿入して把持動作するよう断面略Ｃ字状に形成した。【選択図】  図３
2013014913.tif 000002
【特許請求の範囲】
【請求項１】
機器を収納する空間を内部に備えて一面が開口された本体と、前記本体の開口面を閉塞する蓋板とを有し、前記蓋板の一方の側部に装着されたラッチ手段により閉塞状態が保持される機器収納用キャビネットにおいて、
前記蓋板は、前記開口面を閉塞する蓋面と、前記蓋面の周囲を折り曲げて形成した枠部を有し、蓋面及び枠部を切り欠いて折り曲げ部を棒状に残して形成した連結軸を所定の側部に備える一方、
前記ラッチ手段は、前記連結軸を把持して回動可能に連結するための連結部と、前記本体に係止する係止片と、前記係止片の係止状態を解除操作する操作部とを有し、これらが樹脂成形により一体に形成されて成ることを特徴とする機器収納用キャビネット。
【請求項２】
前記ラッチ手段は、前記蓋面に係合して前記係止片を本体方向へ付勢する弾性片を有することを特徴とする請求項１記載の機器収納用キャビネット。
【請求項３】
前記連結部は断面Ｃ字状に形成されて前記連結軸を挿入する切り欠きを有し、
前記連結軸は角度により見かけの太さが異なり、前記ラッチ手段の前記本体への係止を解除して特定の角度に回動した状態では、前記連結軸は前記切り欠きに対して同一或いは細くなって前記連結軸の挿脱が可能となり、
前記ラッチ手段が前記本体に係止した蓋板閉塞状態では、前記連結軸は前記切り欠きに対して太くなって前記連結部からの脱却を規制することを特徴とする請求項１又は２記載の機器収納用キャビネット。
【発明の詳細な説明】
【技術分野】
【０００１】
本発明は、電気機器等を収納するキャビネットに関し、特に機器を収容するキャビネット本体の開放された前面を蓋板で塞ぐ際に、キャビネット本体に係止するラッチ手段を蓋板に設けた機器収納用キャビネットに関する。
【背景技術】
【０００２】
電気機器等を収納する機器収納用キャビネットにおいて、キャビネット本体の開放された前面を閉塞する蓋板が開かないよう係止させる従来のラッチ構造としては、例えば特許文献１に記載された電気機器収納用箱のラッチ装置がある。これは、キャビネット本体に係止する係止片を備えた操作部をキャビネット本体に蝶着した蓋板の開放側に装着し、バネによる付勢力で係止片の係止動作を実施し、開ける際は操作部を回動して係止片の係止を解除させて蓋板を開放可能としている。
【先行技術文献】
【特許文献】
【０００３】
【特許文献１】特開２０１０−９０５７９号公報
【発明の概要】
【発明が解決しようとする課題】
【０００４】
しかしながら、上記特許文献１に記載された従来のラッチ構造は、ラッチ装置全体を回動させるための回転軸となるピンや、係止片を係止方向へ付勢するバネが必要であったため、部品点数が多く複雑な形状であったし、蓋板に装着する際ネジを使用したため、ラッチ装置の取り付け自体も面倒であった。
【０００５】
そこで、本発明はこのような問題点に鑑み、ピンやバネが必要なく更にネジ止め作業も必要ない、簡易な構造で容易に組み付けできるラッチ手段を備えた機器収納用キャビネットを提供することを目的としている。
【課題を解決するための手段】
【０００６】
上記課題を解決する為に、請求項１の発明は、機器を収納する空間を内部に備えて一面が開口された本体と、本体の開口面を閉塞する蓋板とを有し、蓋板の一方の側部に装着されたラッチ手段により閉塞状態が保持される機器収納用キャビネットにおいて、蓋板は、開口面を閉塞する蓋面と、蓋面の周囲を折り曲げて形成した枠部を有し、蓋面及び枠部を切り欠いて折り曲げ部を棒状に残して形成した連結軸を所定の側部に備える一方、ラッチ手段は、連結軸を把持して回動可能に連結するための連結部と、本体に係止する係止片と、係止片の係止状態を解除操作する操作部とを有し、これらが樹脂成形により一体に形成されて成ることを特徴とする。
この構成によれば、別途回動軸を用意すること無くラッチ手段を蓋板に回動可能に装着できる。また連結部が連結軸を把持することで、ネジ等の固定手段を使用することなくラッチ手段を蓋板に装着することが可能となる。
【０００７】
請求項２の発明は、請求項１に記載の構成において、ラッチ手段は、蓋面に係合して係止片を本体方向へ付勢する弾性片を有することを特徴とする。
この構成によれば、バネ等の弾性部材を別途組み付けることなく係止片は本体方向に付勢されるので、安定した係止状態を維持できる。
【０００８】
請求項３の発明は、請求項１又は２に記載の構成において、連結部は断面Ｃ字状に形成されて連結軸を挿入する切り欠きを有し、連結軸は角度により見かけの太さが異なり、ラッチ手段の本体への係止を解除して特定の角度に回動した状態では、連結軸は切り欠きに対して同一或いは細くなって連結軸の挿脱が可能となり、ラッチ手段が前記本体に係止した蓋板閉塞状態では、連結軸は前記切り欠きに対して太くなって連結部からの脱却を規制することを特徴とする。
この構成によれば、ラッチ手段使用状態ではラッチ手段が蓋板から外れることがなく、所定の角度に回動すれば着脱操作できる。そのため容易に装着できるし、使用時は外れずネジ等の連結部材を使用すること無く堅牢な装着状態を維持できる。
【発明の効果】
【０００９】
本発明によれば、別途回動軸を用意すること無くラッチ手段を蓋板に回動可能に装着できる。また連結部が折り曲げ部に形成した連結軸を把持することで、ネジ等の固定手段を使用することなくラッチ手段を蓋板に装着することが可能となる。
【図面の簡単な説明】
【００１０】
【図１】本発明に係る機器収納用キャビネットの一例を示す外観図である。
【図２】図１の蓋板の斜視図であり、ラッチ部材を分離した状態を示している。
【図３】ラッチ部材の説明図であり、（ａ）は背面図、（ｂ）蓋板に装着した状態のＡ−Ａ線断面図を示している。
【図４】ラッチ部材の作用説明図であり、（ａ）は蓋板に装着する様子、（ｃ）は本体に係止する途中の状態、（ｃ）は本体に係止した状態を示している。
【発明を実施するための形態】
【００１１】
以下、本発明を具体化した実施の形態を、図面を参照して詳細に説明する。図１は本発明に係る機器収納用キャビネットの一例を示す外観図であり、機器を収納する内部空間を有する本体１と本体１の開口された一面を閉塞する蓋板２とで構成されている。蓋板２は閉じた状態を保持するために本体１に係止するラッチ部材３を一方の側部に備え、他方の側部は本体１に蝶着され、開閉操作可能に構成されている。
尚、この機器収納用キャビネットは、通常壁面に本体１を組み付けて蓋板２を前後に開閉操作して使用されるが、ここでは説明の都合上、ラッチ部材３装着面を正面、本体１の開口方向を上方として説明する。
【００１２】
図２はラッチ部材３を分離した蓋板２を示し、要部を拡大した図を併せて示している。図２において、２ａは本体１の開口面を閉塞する蓋面、２ｂは蓋面２ａの周囲端部に蓋面２ａから折り曲げて形成した枠部であり、ラッチ部材３はこの枠部２ｂを形成するための「折り曲げ」を利用して組み付けられる。
具体的に、ラッチ部材３を組み付ける蓋板２の開放側端部の前側の中央には、蓋面２ａと枠部２ｂの双方に開口部５，６が近接して形成され、折り曲げ部７ａが棒状に残されている。蓋面２ａ側の開口部５は折り曲げ部７ａに沿って穿設された長方形状の孔であり、枠部２ｂ側の開口部６は蓋面側開口部５と同一幅で形成され、本体１に面する端部から切り欠いて形成されている。こうして棒状に残された折り曲げ部７ａが、ラッチ部材３を組み付ける連結軸７として使用される。
【００１３】
次に、ラッチ部材３の構成及び作用を説明する。図３はラッチ部材３の説明図であり、（ａ）は背面図、（ｂ）は蓋板２に装着した状態のＡ−Ａ線断面図を示している。ラッチ部材３は、装着時に蓋板２の蓋面２ａと平行に配置されるカバー部３ａと、カバー部３ａと直交して枠部２ｂに平行に配置される操作部３ｂとを有し、略Ｌ字状に形成され、合成樹脂成形により一体に形成されている。
【００１４】
カバー部３ａと操作部３ｂとで挟まれた角部には、蓋板２に連結するための連結部１１が形成されている。連結部１１は、蓋板２の連結軸７を挿入して把持する切り欠き１１ａを設けた略Ｃ字状の把持体であり、左右端部に一対形成されている。この切り欠き１１ａは、カバー部３ａの上面に対して略４５度の角度を設けて形成されている。
【００１５】
そして、操作部３ｂの裏面には本体１に設けられた係止枠（図４に示す）１７に係止する係止片１４が突設され、上部に係止枠１７に係合する係合溝１４ａが形成されている。また、カバー部３ａの裏面には、蓋板２の蓋面２ａに当接する舌片１５が形成されている。舌片１５は、連結部１１に隣接して左右一対形成されると共に、連結部１１近傍から後方斜め下に向けて突出形成され、当接する蓋板２の蓋面２ａに対して弾性を有して当接するよう形成されている。
【００１６】
更に、操作部３ｂの左右端部には、蓋板２の枠部側開口部７に係合する戻り防止リブ１２が設けられている。この戻り防止リブ１２は、前面側が操作部３ａの縁部から横方向先端に向けて円弧状のカーブを設けて形成され、先端に向けて後方に傾斜させている。また、戻り防止リブ１２の背面は、操作部３ａの裏面と面一に平坦に形成されている。
【００１７】
一方、蓋板２に形成された連結軸７は、図３（ｂ）に示すように正面方向から見た太さＴ１（ラッチ部材３装着方向からみた太さ）と、この方向に対して上方に略４５度傾けた方向となる斜め前方から見た太さＴ２が異なり、斜め前方から見た太さＴ２がＴ１より大きくなるよう形成されている。
そして、連結部１１の切り欠き１１ａの開口幅Ｓと太さＴ１，Ｔ２は、Ｔ１≦Ｓ＜Ｔ２の関係を満たすように形成されている。
【００１８】
図４はラッチ部材３の作用を説明するための側面説明図を示し、（ａ）は蓋板２に装着する様子、（ｃ）は係止する途中の状態、（ｃ）は本体１に係止した状態を示している。
ラッチ部材３は、図４（ａ）に示すように操作部３ｂが蓋板２内に入り込む角度で蓋板２の側面方向から矢印Ｂ１の方向にスライドさせる。このとき、連結部１１の切り欠き１１ａが連結軸７の方向を向き、且つ連結軸７の切り欠き１１ａ方向の太さはＴ１であり、上述したようにＴ１≦Ｓであることから、連結部１１に連結軸７が無理なく入り込む。こうしてラッチ部材３は装着される。
【００１９】
挿入後は、上記図３（ｂ）に示すように、矢印Ｂ２方向に回転して蓋板２内に隠れている操作部３ａを前方に露出させる。こうすることで、連結部１１の切り欠き１１ａの向きが太さＴ２の方向となり、ラッチ部材３は抜けなくなる。
【００２０】
また、この回転操作で操作部３ａに形成された戻り防止リブ１２が蓋板２内から側方に露出し、枠部側開口部６の左右端部に前方から係合する。
戻り防止リブ１２は、上述したように前面側はカーブを設けて形成されているため、枠部側開口部６と係合しても係合力が弱く、操作部３ｂは蓋板２内部から外部（前方）へ通過し易い。ところが、背面側は平坦に形成されているため係合力が強く、前方から蓋板２の内部へは通過し難い。そのため、操作部３ｂは外部から蓋板２内部へは通過し難く、外側に露出した操作部３ａは舌片１５の弾性力により蓋板２の内部方向に付勢されるが、再び蓋板２内に入り込むことがない。
【００２１】
こうして装着後、操作部３ａを露出させた後は、図３（ｂ）に示す基本姿勢を維持する。そして、舌片１５が蓋面２ａに係合するため、操作部３ａが蓋板２の枠部２ｂに平行な状態な状態が保持される。
そして、この状態で蓋板２を閉じると、図４（ｂ）に示すようにラッチ部材３は舌片１５の付勢に抗して回動し、その後図４（ｃ）に示すように係止片１４が枠部側開口部６に入り込み、係合溝１４ａが係止枠１７に係合してラッチ部材３はラッチ動作し、閉じた状態が保持される。
また、蓋板２を開ける際は、操作部３ｂを前方に引き出すようラッチ部材３を回動操作すれば、係止片１４の係止は解除されて図４（ｂ）の状態になり、開けることが可能となる。
【００２２】
このように、別途回動軸を用意すること無くラッチ部材３を蓋板２に回動可能に装着できる。また連結部１１が蓋板の折り曲げ部７ａを利用して形成した連結軸７を把持することで、ネジ等の固定手段を使用することなくラッチ部材３を蓋板２に装着することができる。
また、バネ等の弾性部材を別途組み付けることなく係止片１４は係止方向に付勢されるので、安定した係止状態を維持できる。
更に、ラッチ部材３の使用状態では、連結部１１に挿入された連結軸７は抜けることが無くラッチ部材３が蓋板２から外れることがないし、特定の角度に回動すれば容易に着脱操作できる。そのため容易に装着できるし、使用時は外れずネジ等の連結部材を使用すること無く堅牢な装着状態を維持できる。
【００２３】
尚、上記実施形態では、連結部１１をラッチ部材３の左右端部に一対設けているが、左右に亘り筒状に形成しても良い。この場合、舌辺１５は位置をずらして形成すれば良い。
また、係止片は中央に１つとしているが、左右に一対配置しても良い。
また、連結部１１の切り欠き１１ａの角度を４５°としているが、本体１に係止した状態で連結軸７が抜けなければ良く、連結軸７の見かけの太さが細くなる角度に応じて変更されるものであり、カバー部３ａの上面から見て浅く３０°程度の角度であっても良いし、逆に深く６０°であっても良い。
【符号の説明】
【００２４】
１・・本体、２・・蓋板、２ａ・・蓋面、２ｂ・・枠部、３・・ラッチ部材（ラッチ手段）、３ｂ・・操作部、５・・蓋面側開口部、６・・枠部側開口部、７・・連結軸、１１・・連結部、１４・・係止片、１５・・舌辺（弾性片）１７・・係止枠。
【図１】
2013014913.tif 000003
【図２】
2013014913.tif 000004
【図３】
2013014913.tif 000005
【図４】
2013014913.tif 000006